(57)【要約】【課題】発火石点火装置を有する風防ライター【解決手段】この風防ライターは、ハウジングと、放出弁を有する燃料容器と、この放出弁に作用する放口出制御レバーと、放出弁のガス切換流路と、フィルタ、クイックフローノズル、ガス混合チャンバ、切換ノズル及び燃焼チャンバからなる風防アセンブリと、該燃焼チャンバ内のガスを点火する点火装置とを備える。点火装置は、燃焼チャンバの側方の発火石点火構造か、該燃焼チャンバと該発火石点火構造との間か、この発火石点火構造の一方の側のキャンドル炎出口の上にかに設けられる。第２のガス切換流路が、放出弁の上にあり、前記キャンドル炎出口に接続されている。前記該発火石点火構造は、ヤスリ車と、このヤスリ車との摩擦後にスパークを発生させる発火石と、発火石のスパーク端部を押圧すばねとを有する。前記発火石のスパーク端部は、燃焼放出口もしくは支持端部よりも低く、該クイックフローノズルの中心の小さな孔の径が、０．０５〜０．１５ｍｍである。
2005509838.tif 000002
【特許請求の範囲】
【請求項１】
支持フレームを有するハウジングと、放出弁を有する燃料容器と、この燃料容器の前記放出弁に作用する放口出制御レバーと、前記放出弁のガス切換流路に接続され、１つのフィルタ、少なくとも１つのクイックフローノズル、ガス混合チャンバ、１つの切換ノズル及び燃焼チャンバからなる風防アセンブリと、前記燃焼チャンバ内のガスを点火する点火装置とを具備し、発火石点火装置を有する風防ライターにおいて、前記点火装置は、前記燃焼チャンバの側方の発火石点火構造と、前記燃焼チャンバと前記発火石点火構造との間に、または発火石点火構造の一方の側に設けられたキャンドル炎出口と、前記放出弁と前記クイックローノズルとの間に設けられた第２のガス切換流路とを含み、この第２のガス切換流路は、前記キャンドル炎出口と接続されており、また、前記発火石点火構造は、強力な風防炎を生成するように、前記燃焼チャンバの前記クイックフローノズルからのガスを点火する炎を生成するよう、前記キャンドル炎出口からのガスを点火し、また、前記発火石点火構造は、目の粗い縁部を有する少なくとも１つのヤスリ車と、前記ヤスリ車との摩擦後にスパークを生成する発火石と、発火石の点火端部を前記ヤスリ車に対して押圧するばねとを含み、また、前記発火石の点火端部は、前記燃焼チャンバの放出口よりも低く、あるいは、前記支持フレームの上部よりも低くなっており、そして、前記クックフローノズルの中心の小さな孔の径が、０．０５〜０．１５ｍｍである、ことを特徴とする風防ライター。
【請求項２】
前記発火石の点火端部は、前記燃焼チャンバの口または前記支持フレームの上部よりも、少なくとも３ｍｍ低くなっていることを特徴とする請求項１に記載の発火石点火装置を有する風防ライター。
【請求項３】
前記キャンドル炎出口の口は、前記燃焼チャンバの前記口よりも低くなっていることを特徴とする請求項１に記載の発火石点火装置を有する風防ライター。
【請求項４】
前記キャンドル炎出口に、ガス流制限構造が設けられていることを特徴とする請求項１に記載の発火石点火装置を有する風防ライター。
【請求項５】
前記ガス流制限構造は、０．０５〜０．２０ｍｍの径を有する小さな孔であることを特徴とする請求項４に記載の発火石点火装置を有する風防ライター。
【請求項６】
前記ガス流制限構造は、多数の緻密な孔を有するフロー妨害物であることを特徴とする請求項４に記載の発火石点火装置を有する風防ライター。
【請求項７】
ガス流のための前記キャンドル炎出口を開閉する滑動ブロックが、前記キャンドル炎出口の側部に設けられており、前記滑動ブロックと一体化した、または前記滑動ブロックとは独立したものとして構成してもよい操作ボタンが、前記ハウジングの側部に設けられていることを特徴とする請求項１に記載の発火石点火装置を有する風防ライター。
【請求項８】
前記スキッドまたはボタン上に、リセットばねが設けられていることを特徴とする請求項７に記載の発火石点火装置を有する風防ライター。
【請求項９】
ガス流のための前記キャンドル炎出口を開閉する滑動ブロックが、前記放口出制御レバーに設けられていることを特徴とする請求項１に記載の発火石点火装置を有する風防ライター。
【請求項１０】
前記第２のガス切換流路とキャンドル炎出口との間に、カバーが設けられており、また、前記ガス切換流路の放出口に、閉塞体が設けられており、また、前記第２のガス切換流路の側壁部に穴が開いており、また、前記第２のガス切替流路の前記カバーを密封するために、前記穴の下に密封リングが設けられていることを特徴とする請求項１に記載の発火石点火装置を有する風防ライター。
【請求項１１】
前記風防アセンブリの空気混合チャンバと、前記キャンドル炎出口との間に、分離構造が設けられていることを特徴とする請求項１に記載の発火石点火装置を有する風防ライター。
【請求項１２】
前記燃焼チャンバと、前記ハウジング内の前記支持フレームとが、別々になっていることを特徴とする請求項１に記載の発火石点火装置を有する風防ライター。
【請求項１３】
支持フレームを有するハウジングと、１つの放出弁を有する燃料容器と、前記燃料容器の前記放出弁に作用する放口出制御レバーと、前記放出弁上のガス切換流路と、１つのフィルタ、少なくとも１つのクイックフローノズル、ガス混合チャンバ、１つの切換ノズル及び燃焼チャンバからなる風防アセンブリと、前記燃焼チャンバ内のガスを点火する点火装置とを具備し、発火石点火装置を有する風防ライターにおいて、前記点火装置は、前記燃焼チャンバの側部の発火石点火構造と、前記燃焼チャンバと前記発火石点火構造との間に、または発火石点火構造の一方の側に設けられたキャンドル炎出口と、前記燃料容器内に設けられ、かつ第２の放口出制御レバーによって構成された第２の放出弁とを含み、また、前記第２の放出弁の前記ガス切換流路は、前記キャンドル炎出口と接続されており、また、前記発火石点火構造は、強力な風防炎を生成するように、前記燃焼チャンバの前記クイックフローノズルからのガスを点火する炎を生成するように、前記キャンドル炎出口からのガスを点火し、また、前記発火石点火構造は、目の粗い縁部を有する１つのヤスリ車と、前記ヤスリ車との摩擦後にスパークを生成する発火石と、発火石の点火端部を前記ヤスリ車に対して押圧するばねとを含み、また、前記発火石の点火端部は、前記燃焼チャンバの口よりも低く、あるいは、前記支持フレームの上部よりも低くなっており、そして、前記クックフローノズルの中心の小さな孔の径が、０．０５〜０．１５ｍｍである、ことを特徴とする風防ライター。
【請求項１４】
前記発火石の点火端部は、前記燃焼チャンバの口または前記支持フレームの上部よりも、少なくとも３ｍｍ低くなっていることを特徴とする請求項１３に記載の発火石点火装置を有する風防ライター。
【請求項１５】
前記キャンドル炎出口の口は、前記燃焼チャンバの前記口よりも低くなっていることを特徴とする請求項１３に記載の発火石点火装置を有する風防ライター。
【請求項１６】
ガス流のための前記キャンドル炎出口を開閉する滑動ブロックが、前記キャンドル炎出口の側方に設けられており、また、前記滑動ブロックと一体化し、または前記滑動ブロックとは独立していてもよい操作ボタンが、前記ハウジングの側に設けられていることを特徴とする請求項１３に記載の発火石点火装置を有する風防ライター。
【請求項１７】
前記滑動ブロックまたは前記ボタンに、リセットばねが設けられていることを特徴とする請求項１６に記載の発火石点火装置を有する風防ライター。
【請求項１８】
前記風防アセンブリの前記ガス混合チャンバと、前記キャンドル炎出口との間に、分離構造が設けられていることを特徴とする請求項１３に記載の発火石点火装置を有する風防ライター。
【発明の詳細な説明】
【技術分野】
【０００１】
本発明は、発火石を有する風防ライターに関し、特に、発火石点火装置を有し、かつ可燃性ガスを、液相で貯蔵した燃料として使用するような風防ライターに関する。
【背景技術】
【０００２】
一般に、（ブタン等の）液相で貯蔵した可燃性ガスを燃料として使用する風防ライターは、通常、以下の構成要素、すなわち、ａ）ハウジングと、ｂ）ガス放出弁を有する燃料容器と、ｃ）上記燃料容器の放出弁に作用するガス放口出制御レバーと、ｄ）ノズルと、ガス混合チャンバと、切換ノズルと、燃焼チャンバとで構成された、前記放出弁に接続された風防アセンブリと、ｅ）点火ワイヤを有する電気的点火装置とからなる。
【０００３】
風防ライターに関しては、上記構成要素は、全てその複雑な構造及びそれらの構成部材の高い精度に由来するものものであるが、主に、耐強風、高燃焼温度及び速い点火において有利であり、その作動プロセスは、上記放出弁からの燃料ガスが、上記ノズルの小さな孔を通過し、上記ガス混合チャンバ内に強い霧状の流れを形成した後、高温の強い風防トーチ炎を形成するために、切換ノズルから注入されるということである。この点火は、ワイヤを用いた、衝撃式または誘導式の電気的点火である。しかし、そのような電気的点火が、いくつかの欠点を有することが分かってきている。すなわち、１）電気的点火の回数は限定され、２，０００〜３，０００回の点火の後、有効でないスパークが生じる可能性がある。そのようなライターのうちのいくつかにおいては、その点火回数は、５，０００回以上にすることもできるが、その製造コストは高くなり、また一旦使い切ると、該ライタは捨てられる。２）上記燃焼チャンバは、電気的点火手段の発火箇所が、一定の距離及び高さ、上記切換ノズルから離れている場合や、点火成功の割合が低い場合のみに、あるいは、上記ライターが、点火に失敗した場合でも点火することができる。上記離れた距離及び高さという結果に対するそのような繊細な要求のため、該製品の組立てプロセスにおける通過速度は遅く、製造コストを上昇させる。３）上記電気的点火装置は、絶縁のため、ゴムまたはプラスチックで覆われた導電性ワイヤを備えていなければならないが、上記風防燃焼チャンバは、上記ライターが、一定時間着火された場合に、該燃焼チャンバ内でゴムまたはプラスチックで覆われた該導電性ワイヤの一部を溶融する可能性があり、また、偏向したスパークや点火の失敗につながる高温を有している。４）上記導電性ワイヤのゴムまたはプラスチックのカバーは、組立てプロセス中に、切断または引っ張られてむきだしになり、それにより、漏電が生じる可能性がある。
【０００４】
一般に、発火石点火を利用したキャンドルライト（炎）ライターには、様々な構造がある。該ライターのガス放出弁は、それ自体が燃焼ヘッドであり、その構造は、非常に単純であり、また炎の点火に対する要求が少ないため、製造コストは、相当低減される。動作時において、発火石とヤスリ車との間の摩擦によって生じた粉がスパークを発生させ、上記燃焼ヘッドを点火させ、また上記放出弁は、大きな口と単純な構造を有しているため、該口に落下する該粉は、該口の中にブロックを形成しないことになる。しかし、そのような構造によって発生した炎は弱く、戸外でものに火をつけることは難しく、固いまたは厚いタバコに火をつける場合には、特にそうである。しかし、炎ライターの発火石点火構造を、燃焼ヘッドとして用いるために、上述の風防アセンブリに適用した場合、使用時において、発火石とヤスリとの間の摩擦によって発生する分散的なスパークは、粉を伴うため、該粉は、切換ノズル内に落下して該ノズルの流路を狭くし、あるいは、該ノズルの小さな孔を完全にまたは部分的に閉塞し、各点火中の強い風防トーチ炎の形成を不可能にする。
【０００５】
従って、安定しかつ高品質の風防ライターを製造するための点火装置を改良する必要がある。
【発明の開示】
【発明が解決しようとする課題】
【０００６】
本発明の主な目的のうちの一つは、発火石点火構造とキャンドル炎出口とで構成された発火石点火装置を有する風防ライターであって、前記発火石点火構造が、上記キャンドル炎出口からの燃料ガスを燃やすスパークを生成して、該スパークを炎に変え、該炎も、高温の強い風防トーチ炎を形成するように、風防アセンブリの燃焼チャンバ内の燃料ガスを点火する、風防ライターを提供することである。また、前記発火石点火装置の発火石の発火端部が、燃焼チャンバの口または支持フレームよりも低いため、スパークを形成するときの、発火石によって生成される粉による、切換ノズルまたはクイックフローノズルの閉塞は有効に防止され、また風防ライターの寿命が延びる。
【０００７】
本発明の別の目的は、発火石点火装置を有する風防ライターであって、キャンドルライト炎及び風防炎をユーザのニーズに合わせるために、ガス流制限構造が、単一のガス放出弁構造を有するキャンドル炎出口内に設けられている、風防ライターを提供することである。
【０００８】
本発明の他の目的は、風防ライターが、風防アセンブリからの風防トーチ炎と、キャンドルライト口からの炎とを、別々にまたは同時に生成するように、操作ボタンと、ガス流を、該風防アセンブリとキャンドルライト口の方へ導く滑動ブロックとを含む発火石点火装置を有する風防ライターを提供することである。
【０００９】
本発明の別の目的は、発火石点火装置を有する風防ライターであって、風防ライターが、風防アセンブリからの風防トーチ炎と、キャンドルライト口からの炎とを、別々にまたは同時に生成するように、閉塞しまたは開くことができるカバーが、第２のガス切換流路とキャンドル炎出口とに設けられている風防ライターを提供することである。
【００１０】
本発明の他の目的は、発火石点火装置を有する風防ライターであって、発火石の粉が、ガス混合チャンバ内に落下することを良好に防ぐために、風防アセンブリのガス混合チャンバと、キャンドル炎出口との間に、分離構造が設けられている風防ライターを提供することである。
【００１１】
本発明の別の目的は、発火石点火装置を有する風防ライターであって、該燃焼チャンバの高温が、該ライターのボディーに伝わるのを低減するために、該風防ライターのハウジングの支持フレームと、燃焼チャンバとが、別々に構成されている風防ライターを提供することである。
【００１２】
本発明の他の目的は、発火石点火装置を有する風防ライターであって、該ライターの製造コストを低く維持するために、通常のライターの元々のデザインが、それほど変更されていない風防ライターを提供することである。
【課題を解決するための手段】
【００１３】
本発明による、発火石点火装置を有する風防ライターは、支持フレームを有するハウジングと、ガス放出口を有する燃料ガス容器と、該ガス容器の放出弁に作用するガス放口出制御レバーと、前記放出弁上のガス切換流路に接続され、かつ１つのフィルタからなる風防アセンブリと、少なくとも１つのクイックフローノズルと、ガス混合チャンバと、１つの切換ノズル及び燃焼チャンバと、前記燃焼チャンバ内のガスを点火する点火装置とを含む。その第１の実施の形態は、前記発火石点火構造が、燃焼チャンバの側部の発火石点火構造と、該燃焼チャンバと該発火石点火構造との間に、または該発火石点火構造の一方の側部に設けられたキャンドル炎出口と、上記放出弁と上記風防アセンブリとの間に設けられ、かつキャンドルライトガス放出口と接続された第２のガス切換流路とを含む点を特徴とする。上記発火石点火構造は、目の粗い縁部を有するヤスリ車と、該ヤスリ車との摩擦でスパークを発生させる発火石と、該発火石の一端部を該ヤスリ車に対して押圧するばねとを含む。上記発火石のスパーク端部は、該発火石の粉が、上記燃焼チャンバ内に落下すること、および上記切換ノズルの流路を塞ぐことを避けるために、該燃焼チャンバの放出口または上記支持フレームの上部より低く配置されている。上記クイックフローノズルの中心の小さな孔の径は、０．０５ｍｍ〜０．１５ｍｍであり、それにより、上記放出弁からのガス流を、上記クイックフローノズルを通過した後に、強力な散布ガスを発生させるために、上記ガス混合チャンバ内のガスと混合させ、上記切換ノズルが強力なガス流を発生させて、高温の強力な風防トーチ炎を形成するための前処理を実行することを保障する。第２の実施の形態は、ガス容器が、第２のガス放口出制御レバーを有する第２のガス放出弁によって構成されている点と、前記発火石点火構造が、燃焼チャンバの側部の発火石点火構造と、燃焼チャンバと発火石点火構造との間に、または上記発火石点火構造の一方の側に設けられ、かつ前記第２のガス放出弁と接続されたキャンドル炎出口とを含む点とを特徴とする。上記発火石点火構造は、目の粗い縁部を有するヤスリ車と、該ヤスリ車との摩擦でスパークを発生させる発火石と、該発火石の一端部を該ヤスリ車に対して押圧するばねとを含む。上記発火石のスパーク端部は、該発火石の粉が、上記燃焼チャンバ内に落下すること、および上記切換ノズルの流路を塞ぐことを避けるために、該燃焼チャンバの放出口、または上記支持フレームの上部よりも低く配置されている。上記クイックフローノズルの中心の小さな孔の径は、０．０５ｍｍ〜０．１５ｍｍであり、それにより、上記放出弁からのガス流を、上記クイックフローノズルを通過した後に、強力な散布ガスを発生させるために、上記ガス混合チャンバ内のガスと混合させ、上記切換ノズルが強力なガス流を発生させて、高温の強力な風防トーチ炎を形成するための前処理を実行することを保障する。
【００１４】
本発明は、実施形態の更なる説明によって、および図面を参照することにより、良好に理解されるであろう。
【発明を実施するための最良の形態】
【００１５】
図１について説明する。本発明による、発火石点火装置を有する風防ライターの好適な実施の形態は、支持フレーム１１を有するハウジング１と、放出弁２３を有するガス容器２と、液状燃料を補充するための（含まれていてもよい）流入弁２２と、ガス容器２の放出弁２３に作用する放出口制御レバー３と、放出弁２３のガス切換流路２３１と接続され、かつフィルタ４１で構成された風防アセンブリ４と、クイックフローノズル４２と、ガス混合チャンバ４３と、切換ノズル４４及び燃焼チャンバ４５と、燃焼チャンバ４５からのガスに点火する点火装置５と、燃焼チャンバ４５の上部に設けてもよい風防金属ワイヤ４６とを含む。前記点火装置５は、燃焼チャンバ４５の側部の発火石点火構造５１と、燃焼チャンバ４５と発火石点火構造５１との間に設けられたキャンドル炎出口とを含む。第２のガス切換流路２３２は、放出弁２３と風防アセンブリ４との間に設けられ、かつキャンドル炎出口５２に接続されており、また、該流路内に設けられたガス流制限構造５２１、例えば、高密度の孔を有するスポンジ５２１を有する。通常、複数のガス流に対しては、燃料ガスは、常に、大きな径を有する流路の方へ流れるように選択し、また風防アセンブリ４の上記クイックフローノズルの小さな孔の径は、０．０５ｍｍ〜０．１５ｍｍであるため、放出弁２３から風防アセンブリ４及びキャンドル炎出口５２の方へ流れた場合、ほとんどのガスは該キャンドル炎出口に入って炎に変わるとともに、風防アセンブリは、不十分なガスのみを有し、該ガスを風防トーチ炎にすることはできない。風防トーチを生成するための適切な風防トーチ及び炎を得るために、キャンドル炎出口５２に、ガス流配分のためのガス流制限構造５２１が設けられており、あるいは、ガス流制限構造５２１（図７参照）を形成するために、キャンドル炎出口５２の中間部分が狭くなっており、または、キャンドル炎出口５２からのガス流を制限して、風防アセンブリ４へのガス流を増加させるための、クイックフローノズル４２（図８参照）と同様の、０．０５ｍｍ〜０．２ｍｍの好適な径を有する小さな孔によってキャンドル炎出口５２を構成してもよい。発火石点火構造５１は、目の粗い縁部を有するヤスリ車５１１と、ヤスリ車５１１との摩擦後にスパークを発生させる発火石５１２と、発火石５１２のスパーク端部をヤスリ車５１１の目の粗い面に対して押圧するばね５３とを含む。ばね５３により、発火石５１２のスパーク端部は、押圧されてヤスリ車５１１の目の粗い面と接触し、発火石５１２とヤスリ車５１１の目の粗い面との間の接触点は、スパーク端部と呼ばれる。ハウジング１のカバー１２が開かれると、放口出制御レバー３は、放出弁２３を開いてガスを放出する。ガス流制限構造５２１の動作によって、一部のガスが、ガス切換流路２３１を通って、高密度メッシュからなるフィルタ４１に入り、ガス中の不純物及びグリースが取り除かれて、そのような不純物またはグリースがクイックフローノズル４２に入ること、およびクックフローノズル４２の小さな孔を塞ぐことを防ぐ。そして、上記フィルタを通過したガスは、０．０５ｍｍ〜０．１５ｍｍの小さな孔の径を有するクイックフローノズル４２に入る。該ノズルから噴霧されたガスは、上記ガス混合チャンバ内のガスと混合して、強力な混合燃料ガスを生成し、該燃料ガスは、燃焼チャンバ４５の切換ノズル４４から流出して強力かつ安定した風防ガスを形成し、他の一部のガスは、第２のガス切換流路２３２を通って、キャンドル炎出口５２の放出口から出る。ヤスリ車５１１が素早く回転されると、ヤスリ車５１１の目の粗い面と発火石５１２との間の摩擦が分散性のスパークを発生させ、キャンドル炎出口５２０からのガスを点火して炎にする（それに伴って、風防トーチ炎の点火装置５が形成される）。そして直ちに、この炎が、上記風防アセンブリからのガスを点火して、強力かつ高温の風防炎を発生させる。本発明の鍵となる構造のうちの一つは、発火石５１２のスパーク端部５１２１が、燃焼チャンバ４５の放出口または支持フレーム１１の端部１１０よりも低く、それにより、発火石５１２からの粉が、風防アセンブリ４の燃焼チャンバ４５に落下すること、および切換ノズル４４またはクイックフローノズル４２を塞ぐことが防止される。支持フレーム１１の上部１１０は、発火石５１２のスパーク方向（図９参照）に対応して支持フレーム１１の上方部と呼ぶ。良好な結果を得るために、発火石５１２のスパーク端部５１２１は、燃焼チャンバ４５の放出口４５１または支持フレーム１１の上部１１０よりも少なくとも３ｍｍ低く形成される。分離構造８は、発火石点火構造５１がキャンドル炎出口の口５２０へスパークを送ったときに発生する粉がガス混合チャンバ４３に落下すること、およびクイックフローノズル４２の小さな孔を塞ぐことを防ぐために、風防アセンブリ４のガス混合チャンバ４３と、キャンドル炎出口５２との間に設けられている。キャンドル炎出口５２は、燃焼チャンバ４５の放出口４５１よりも低いため、キャンドル炎出口の口５２０からの炎は、その側部において、風防トーチを容易に灯すことができる。カバー１２が閉じられると、放口出制御レバー３が解放されて、ガス弁２３が閉じられ、風防トーチ及び炎を消す。
【００１６】
図２及び図３について説明する。ここでは、本発明の別の好適な実施の形態を示し、ガス流のための前記キャンドル炎出口を開閉する滑動ブロック６が、前記キャンドル炎出口５２の側部に設けられている。一部のキャンドル炎出口５２は、滑動ブロック６を容易に押圧するために、フレキシブルチューブで形成してもよい。ボタン７は、ハウジング１の側部に設けられており、滑動ブロック６及びボタン７は、全体として一体化されている。滑動ブロック６とハウジング１との間には、リセットばね７１が配置されている。放口出制御レバー３の一端部は、ボタン７の下にある。ヤスリ車５１１が、人の指によって素早く回転されると、ヤスリ車５１１の目の粗い面とスパーク端部５１２１との間の急速な摩擦が、分散性のスパークを発生させる。同時に、ボタン７が押されて、放口出制御レバー３がさらに押し込まれる。そして、放口出制御レバー３は、放出弁２３にガスを放出させる。該ガスは、第２のガス切換流路２３２を通り、キャンドル炎出口５２に入って、口５２０から出た後、上記分散性のスパークによって点火される。そのため、風防トーチの点火装置５が形成されている。次に図３について説明すると、ボタン７が内部の方へ押され、滑動ブロック６が直ちにキャンドル炎出口５２を押して、キャンドル炎出口５２からのガスが遮断され、その代わりに、ガス切換流路２３１の方へのガス流を形成する。次いで、該ガスは、風防アセンブリ４に供給されて、強力かつ安定した混合ガスが燃焼チャンバ４５の切換ノズル４４に供給されて、その側部において、炎による高温を有する強力な風防炎が灯される。指が離されると、リセットばね７１は、滑動ブロック６を引っ張ってキャンドル炎出口５２から離し、ボタン７は、上記放口出制御レバーの動作によってその位置に戻る。そして、風防トーチ及び火は消える。
【００１７】
次に図４について説明する。ここでは、本発明の他の好適な実施の形態が示され、キャンドル炎出口５２０から風防アセンブリ４へのガス通過の原理は、図２の時と同じである。該通過は、全て、キャンドル炎出口の開閉を介している。図４と図２との通過の違いは、第２のガス切換流路２３２とキャンドル炎出口５２との間に、カバー体５２２が設けられていることである。カバー体５２２及びキャンドル炎出口５２は、全体として一体化されている。第２のガス流流路２３２の流出口には、閉塞体５２３が設けられている。第２のガス切換流路２３２の側壁には、穴５２４が形成されている。穴５２４の下では、密封リング５２５がカバー体５２２を密封している。ヤスリ車５１１が素早く回転されると、発火石のスパーク端部５１２１が分散性のスパークを生成し、同時に、放出ガスボタン３１が下方に動いて、放口出制御レバー３に放出弁２３を起こさせてガスを放出させる。そして、該ガスは、第２のガス切換流路２３２の側壁の穴５２４と、第２のガス切換流路２３２とカバー体５２２との間の間隙とを通過して、キャンドル炎出口５２０に達する。次いで、該ガスは、発火石点火構造５１によって点火されて、炎になる。そのため、風防点火装置５が形成されている。人の指が放出ガスボタン３１を押下し続けた場合、放出ガス弁２３は、さらに上へ動く。そして、第２のガス流路２３２内のＴ字状密封体５２３がキャンドルライト口５２６の流入口を遮断し、第２のガス切換流路２３２とカバー体５２２との間の密封リング５２５がガス流を遮断し、第２のガス切換流路２３２内のガスを放出ガス弁２３上に追いやって、第１のガス流路２３１の方へ流して風防アセンブリ４に入らせて、燃焼チャンバ４５内で強力な混合ガスを形成する。そして直ちに、キャンドル炎出口の口５２０における炎が、その側部において、燃焼チャンバ４５内の風防ガスを点火して、強力で高温の風防トーチを形成する。
【００１８】
次に図５及び図６について説明する。構造は、図２及び図３のものと同様である。違いは、ボタン７と滑動ブロック６とが別々になっている点である。
【００１９】
図７について説明する。ここでは、本発明の別の実施の形態を示すが、放口出制御レバー３の一端部が、ハウジング１のカバー１２の一端部に接続されている。カバー１２が開けられると、一端部がカバー１２に接続されている放口出制御レバー３は、放出弁２３を開いてガスを放出させる。ハウジング１の側部には、ボタン７が設けられている。滑動ブロック６及びボタン７は、全体として一体化されている。リセットばね７２は、操作後に、ボタン７を円滑にリセットできるようにするために、ボタン７の側部でハウジング１の内部に設けられている。
【００２０】
図８について説明する。ここでは、風防アセンブリ４と放出ガス弁２３とが共に固定されている、本発明の他の実施の形態が示されている。このような場合、ハウジング１の支持フレーム１１及び風防アセンブリ４は、別々に構成することができる。ヤスリ車５１１が素早く回転されると、ヤスリ車５１１の目の粗い面とスパーク端部５１２１との間の急速な摩擦が、分散性の炎を放出する。同時に、指が放口出制御レバー３を押下して、放出弁２３にガスを放出させる。そして、ガス流制限構造５２０が、放出ガス弁２３からのガスを、風防アセンブリ４とキャンドル炎出口５２とに適切に分配させる。次いで、上記分散性のスパークが、キャンドル炎出口５２の口５２０においてガスを点火して炎にする。そのため、風防点火装置５が形成されている。同時に、該炎は、直ちに、風防アセンブリ４内のガスを点火して、強力で高温の風防トーチにする。支持フレーム１１と、風防アセンブリ４とは、別々に配設された構造であるため、風防アセンブリ４内の風防トーチの熱は、ハウジング１の支持フレーム１１に伝導し難く、その結果、ユーザが、該風防炎によって火傷することはない。
【００２１】
図９について説明する。ここでは、放口出制御レバー３が、放出ガス弁２３に対して移動可能に設けられている、本発明の別の実施の形態が示されている。また、滑動ブロック６は、放口出制御レバー３上に設けられている。ヤスリ車５１１が素早く回転されると、分散性のスパークが、ヤスリ車５１１の目の粗い面と、スパーク端部５１２１との間の摩擦によって発生する。同時に、指が放口出制御レバー３を押下して、放出ガス弁２３にガスを放出させる。ほとんどのガスは、第２のガス切換流路２３２及びキャンドル炎出口５２を通って該キャンドル炎出口の口５２０から出た後、発火石点火構造５１によって点火されて炎になる。そのため、風防点火装置５が形成されている。指が、放口出制御レバー３を内側へ押すと、放口出制御レバー３上に固定された滑動ブロック６が、キャンドル炎出口５２の一部の柔らかい材質を押してキャンドル炎出口５２を閉塞する。同時に、放出ガス弁２３からのガスが、直ちにガス切換流路２３１の方へ向かって、風防アセンブリ４に点火装置５によって点火される混合ガスを供給する。そして、風防炎が、強力な風防トーチを発生させ、該炎は、キャンドル炎出口５２内のガスが送られた後に弱くなる。
【００２２】
図１０について説明する。ここでは、点火装置５が、燃焼部４５の側部に設けられた発火石点火構造５１と、発火石点火構造５１の一方の側部に設けられたキャンドル炎出口５２とを含む、本発明の他の実施の形態が示されている。発火石点火構造５１は、ヤスリ車５１１と、発火石５１２と、ばね５３、または、ヤスリ車５１１の中心軸に接続された補助車５１１２とを含む。ユーザが該ライターを使用する場合、指で補助車５１１２を回転させて、ヤスリ車５１１を駆動することができる。
【００２３】
図１１について説明する。ここでは、該ライターが、支持フレーム１１を有するハウジング１と、放出弁２３を有する燃料容器２と、放出弁２３上のガス切換流路２３１と、放出弁２３上のガス切換流路２３１に接続され、かつフィルタ４１で構成された風防アセンブリ４と、クイックフローノズル４２と、ガス混合チャンバ４３と、切換ノズル及び燃焼チャンバ４５と、燃焼チャンバ４５内のガスを点火する点火装置５とを含む、本発明の第２の実施の形態が示されている。前記燃焼チャンバ４５は、その上部に設けられた風防金属ワイヤ４６を有してもよく、また、ガス容器２内には、第２の放出弁２３’が設けられており、該第２の放出弁の上には、第２の放口出制御レバー３’が設けられている。前記点火装置は、燃焼チャンバ４５の側部に設けられた発火石点火構造と、前記発火石点火構造５１と前記燃焼チャンバ４５との間に設けられたキャンドル炎出口５２とを含む。第２の放出弁２３’とキャンドル炎出口５２との間には、ガス切換流路２３２’が配設されている。前記キャンドル炎出口５２は、ガス切換流路２３２’を介して前記第２の放出弁２３’に接続されており、キャンドル炎出口５２は、前記燃焼チャンバ４５の放出口よりも低いため、キャンドル炎出口５２によって生成された炎は、その側部において、風防トーチを容易に灯すことができる。発火石点火構造５１は、目の粗い縁部を有するヤスリ車５１１と、ヤスリ車５１１との摩擦でスパークを発生させる発火石５１２と、発火石５１２の前記スパーク端部５１２１を押して、前記ヤスリ車５１１と接触させるばね手段とを含む。前記キャンドル炎出口５２の側部には、キャンドル炎出口５２のフレキシブル部分を開閉する滑動ブロック６が設けられ、また、ハウジング１の側部には、ボタン７が設けられている。滑動ブロック６とボタン７は、一体化され、または分離されており（図５参照）、リセットばね７２は、前記ボタン７上に設けてもよい。カバー１２が開けられると、カバー１２の一端部が、放口出制御レバー３と、放口出制御レバー３に接続された第２の放口出制御レバー３’とを持ち上げ、放出弁２３及び第２の放出弁２３’にガスを放出させる。風防アセンブリ４のクイックフローノズル４２の小さな孔の径は、０．０５〜０．１５ｍｍであり、ガス流に対してある程度の抵抗を構成しているが、キャンドル炎出口５２は、一般に、容易に流れるガス流のためのより大きな穴を有している。そのため、放出弁２３’から出てキャンドル炎出口５２に入ってきたガスのうちのほとんどは、口５２０においてガス流を形成する。人の指が、ヤスリ車５１１を素早く回転させると、ヤスリ車５１１の目の粗い面とスパーク端部５１２１との間の急速な摩擦で生じた分散性のスパークが、キャンドル炎出口５２０からのガスを点火して炎に変える。そのため、風防点火装置５が形成されている。その後、ボタン７が内側に押されると、ボタン７上の滑動ブロック６は、直ちにキャンドル炎出口５２を押し込み、キャンドル炎出口５２内のガス流を遮断し、ガスを放出弁２３の方へ向けて風防アセンブリ４に入らせ、燃焼チャンバ４５の切換ノズル４４に、強力で安定した混合可燃性ガスを供給し、該可燃性ガスは、その側部において該炎により直ちに点火して、強力で高温の風防トーチを形成することができる。同時に、上記炎は弱くなる。本発明に係る鍵となる構造のうちの一つは、発火石５１２のスパーク端部５１２１が、燃焼部４５の放出口４５１、または支持フレーム１１の上端部１１０よりも低く、それによって、発火石５１２が、スパークをキャンドル炎出口に供給したときに、切換ノズル４４またはクイックフローノズル４２を塞ぐ可能性がある発火石５１２の粉が、風防アセンブリ４の燃焼チャンバ４５内に落下することを防ぐことである。支持フレーム１１の上端部１１０は、発火石５１２のスパーク方向（図９参照）に対応して、支持フレーム１１のハイポイントと呼ばれる。発火石５１２のスパーク端部５１２１が、燃焼チャンバ４５の口４５１または支持体１１’の上端部１１０よりも低い３ｍｍ（またはそれ以上）に形成されている場合には、良好な結果を得ることができる。風防アセンブリ４のガス混合チャンバ４３と、キャンドル炎出口５２との間には、発火石点火構造５１が、スパークをキャンドル炎出口５２０に供給したときに発生する粉がガス混合チャンバ４３内に落ちること、およびクイックフローノズル４２の小さな孔を塞ぐことを防ぐために、分離構造８が設けられている。
【００２４】
図１２について説明する。発火石点火構造５１は、スパークを送って、キャンドル炎出口５２０においてガスを点火して炎を生成し、風防トーチを灯す。作動中、上記炎及び風防トーチは、同時に存在する。この主な理由は、ガス放出調節機構２３０が、放出弁２３の流路を拡大し、かつガス放出調節機構２３０’が、第２の放出弁２３’の流路を狭くして、風防アセンブリ４及びキャンドル炎出口５２内のガスの配分を等しくし、それによりさらに、該炎及び風防トーチを同時に発生させることである。
【００２５】
図１２と同様の図１３について説明する。違いは、放出弁２３の放出調節機構３がカバー１２の一端部に接続された一端を有していることである。カバー１２が開けられると、上記放出弁は、ガスを放出する。第２の放出弁２３’の第２の放出調節機構３’は、ハウジング１’の側部において、放出ボタン３１と接触している。放出ボタン３１が押下されると、第２の放出コントローラ３’が、第２の放出弁２３’を起こしてガスを放出させる。
【００２６】
上述した好適な実施の形態は、単に、本発明の説明のためのものであり、本発明を限定するものとして解釈すべきではない。当業者は、本発明の趣旨及び範囲内で、本発明に対する様々な変更及び変形を行ってもよい。従って、全ての同等の代替的な技術的解決法は、特許請求の範囲によって定義された本発明の範囲内にあると考えるべきである。
【図面の簡単な説明】
【００２７】
【図１】本発明に係る、発火石点火装置を有する風防ライターの構造を示す概略図である。
【図２】本発明の第２の実施の形態を示す図である。
【図３】操作プロセス中の、図２の風防ライターの構造を示す概略図である。
【図４】本発明の第３の実施の形態を示す図である。
【図５】図２と同様であるが、その違いは、ボタンと滑動ブロックとが、別々に設けられていることである。
【図６】操作プロセス中の、図５の風防ライターの構造を示す概略図である。
【図７】図２と同様であるが、その違いは、ガス放口出制御レバーが、ハウジング内のヘッドカバーを介して作動することである。
【図８】本発明の第４の実施の形態を示す図である。
【図９】本発明の第５の実施の形態を示す図である。
【図１０】本発明の第６の実施の形態を示す図である。
【図１１】本発明の第７の実施の形態を示す図である。
【図１２】本発明の第８の実施の形態を示す図である。
【図１３】本発明の第９の実施の形態を示す図である。
【図１】
2005509838.tif 000003
【図２】
2005509838.tif 000004
【図３】
2005509838.tif 000005
【図４】
2005509838.tif 000006
【図５】
2005509838.tif 000007
【図６】
2005509838.tif 000008
【図７】
2005509838.tif 000009
【図８】
2005509838.tif 000010
【図９】
2005509838.tif 000011
【図１０】
2005509838.tif 000012
【図１１】
2005509838.tif 000013
【図１２】
2005509838.tif 000014
【図１３】
2005509838.tif 000015
【国際調査報告】
2005509838.tif 000016